(57)【特許請求の範囲】
【請求項１】
表出される態様で配設された翳し部を通じて、所定の通信可能領域に保持された記録媒体との間でデータの読み取り及び書き込みを行うリーダライタ装置において、
前記翳し部を構成する発光板の裏面側に配設され、装置内部の基板に実装された発光素子からの光を配設個所の外周域に反射させる第１反射部材と、
前記第１反射部材の外周域に該第１反射部材を囲むよう円環状に配設され、前記第１反射部材からの反射光を前記発光板の裏面側から表面側に向けて円環状に透過させる態様で反射させる第２反射部材と、
乳白色を呈する光拡散部が前記発光素子と前記第１反射部材との間に介在する態様で設けられ、前記発光素子からの光を前記光拡散部にて拡散させるフィルター部材と
を備えたことを特徴とするリーダライタ装置。
【請求項２】
前記第２反射部材は、前記発光板との間に前記第１反射部材の配設スペース、並びに該第１反射部材からの反射光の通過域を画成し、かつ前記発光素子からの光の通過を許容する孔部が形成された支持部材に設けたことを特徴とする請求項１に記載のリーダライタ装置。
【請求項３】
前記発光板は、前記第２反射部材からの反射光を透過させる域の表面及び裏面の少なくとも一方が凹凸形状に加工されたことを特徴とする請求項１又は請求項２に記載のリーダライタ装置。
【請求項４】
前記発光板は、その表面のうち前記第２反射部材からの反射光の透過域に囲繞される域に反射シートが貼り付けられて成ることを特徴とする請求項１〜３のいずれか一つに記載のリーダライタ装置。
【請求項５】
前記支持部材は、その裏面のうち前記孔部を除く領域に反射シートが貼り付けられて成ることを特徴とする請求項２〜４のいずれか一つに記載のリーダライタ装置。
【請求項６】
前記発光素子として３色ＬＥＤを用いたことを特徴とする請求項１〜５のいずれか一つに記載のリーダライタ装置。
【請求項７】
前記発光素子を実装する基板に、前記記録媒体からデータを負荷変動により取得するアンテナパターンを備えたことを特徴とする請求項１〜６のいずれか一つに記載のリーダライタ装置。
【発明の詳細な説明】
【技術分野】
【０００１】
本発明は、リーダライタ装置に関し、より詳細には、所定の通信可能領域に保持されたＩＣカードや携帯電話機等の記録媒体との間でデータの読み取り及び書き込みを行うリーダライタ装置に関する。
【背景技術】
【０００２】
従来、例えばＩＣカードや携帯電話機等の記録媒体との間でデータの読み取り及び書き込みを行うリーダライタ装置として、次のようなものが知られている。すなわち、表出される態様で配設された翳し部を通じて、所定の通信可能領域に保持された記録媒体との間でデータの読み取り及び書き込みを行うものである。
【０００３】
上記リーダライタ装置においては、利用者に翳し部を明示し、かつデータの読み取り及び書き込みの成功、並びに失敗を明示すべく、翳し部から光を放出させるようにしたものが知られている。このように翳し部から光を放出させるリーダライタ装置の一例を挙げると、装置内部に設けられた発光素子からの光を導光板で円形状に面発光させ、この導光板よりも小さい径を有する遮光板で面発光させた光の一部を遮ることにより、翳し部から円環状に光を放出させている（例えば、特許文献１参照）。
【０００４】
【特許文献１】特開２００５−８４７９４号公報
【発明の開示】
【発明が解決しようとする課題】
【０００５】
ところが、上述したような特許文献１に提案されているようなリーダライタ装置では、発光素子からの光を導光板で面発光させ遮光板にて遮ることにより翳し部から円環状に光を放出していたために、翳し部から光を放出するには十分な光源量を必要としていた。そのため、光源である発光素子を多数要し、装置の大型化、並びにコストの増大化を招来する虞れがあった。一方、発光素子の数を抑制した場合には、翳し部から放出される光量が十分なものとならなかった。
【０００６】
本発明は、上記実情に鑑みて、発光素子からの光を効率よく翳し部から放出させることができ、しかも装置の大型化を抑制してコストの低減化を図ることができるリーダライタ装置を提供することを目的とする。
【課題を解決するための手段】
【０００７】
上記目的を達成するため、本発明の請求項１に係るリーダライタ装置は、表出される態様で配設された翳し部を通じて、所定の通信可能領域に保持された記録媒体との間でデータの読み取り及び書き込みを行うリーダライタ装置において、前記翳し部を構成する発光板の裏面側に配設され、装置内部の基板に実装された発光素子からの光を配設個所の外周域に反射させる第１反射部材と、前記第１反射部材の外周域に該第１反射部材を囲むよう円環状に配設され、前記第１反射部材からの反射光を前記発光板の裏面側から表面側に向けて円環状に透過させる態様で反射させる第２反射部材と、乳白色を呈する光拡散部が前記発光素子と前記第１反射部材との間に介在する態様で設けられ、前記発光素子からの光を前記光拡散部にて拡散させるフィルター部材とを備えたことを特徴とする。
【０００８】
また、本発明の請求項２に係るリーダライタ装置は、上述した請求項１において、前記第２反射部材は、前記発光板との間に前記第１反射部材の配設スペース、並びに該第１反射部材からの反射光の通過域を画成し、かつ前記発光素子からの光の通過を許容する孔部が形成された支持部材に設けたことを特徴とする。
【０００９】
また、本発明の請求項３に係るリーダライタ装置は、上述した請求項１又は請求項２において、前記発光板は、前記第２反射部材からの反射光を透過させる域の表面及び裏面の少なくとも一方が凹凸形状に加工されたことを特徴とする。
【００１０】
また、本発明の請求項４に係るリーダライタ装置は、上述した請求項１〜３のいずれか一つにおいて、前記発光板は、その表面のうち前記第２反射部材からの反射光の透過域に囲繞される域に反射シートが貼り付けられて成ることを特徴とする。
【００１１】
また、本発明の請求項５に係るリーダライタ装置は、上述した請求項２〜４のいずれか一つにおいて、前記支持部材は、その裏面のうち前記孔部を除く領域に反射シートが貼り付けられて成ることを特徴とする。
【００１３】
また、本発明の請求項６に係るリーダライタ装置は、上述した請求項１〜５のいずれか一つにおいて、前記発光素子として３色ＬＥＤを用いたことを特徴とする。
【００１４】
また、本発明の請求項７に係るリーダライタ装置は、上述した請求項１〜６のいずれか一つにおいて、前記発光素子を実装する基板に、前記記録媒体からデータを負荷変動により取得するアンテナパターンを備えたことを特徴とする。
【発明の効果】
【００１５】
本発明によれば、翳し部を構成する発光板の裏面側に配設された第１反射部材が、装置内部の基板に実装された発光素子からの光を配設個所の外周域に反射させ、第１反射部材の外周域に該第１反射部材を囲むよう円環状に配設された第２反射部材が、第１反射部材からの反射光を発光板の裏面側から表面側に向けて円環状に透過させる態様で反射させるので、発光素子からの光を遮ることなく、円環状に放出することができる。よって、従来のように発光素子からの光を面発光させ、面発光部分の一部を遮って翳し部から光を放出するのに比して、発光素子からの光を効率よく翳し部から放出させることができる。このように発光素子からの光を効率良く放出させることができるので、必要最低限の光源量で十分であり、光源量を過大なものとする必要がなく、装置の大型化やコストの増大化を招来する虞れがない。従って、発光素子からの光を効率よく翳し部から放出させることができ、しかも装置の大型化を抑制してコストの低減化を図ることができるという効果を奏する。
【発明を実施するための最良の形態】
【００１６】
以下に添付図面を参照して、本発明に係るリーダライタ装置の好適な実施の形態について詳細に説明する。尚、以下の実施の形態においては、リーダライタ装置の一例として電子マネー決済機について説明する。
【００１７】
図１及び図２は、それぞれ本発明の実施の形態である電子マネー決済機（リーダライタ装置）を簡略して示したものであり、図１は平面図、図２は図１におけるＸ−Ｘ線断面図である。ここで例示する電子マネー決済機は、ＩＣチップを搭載した記録媒体であるＩＣカードや携帯電話機（以下においてはこれらの記録媒体を単に「マネーカード」と称して説明する）に対して、非接触通信により電子マネー情報の読み書き処理を行うものである。このような電子マネー決済機は、装置本体１を備えている。
【００１８】
装置本体１は、内部に種々の機器を収納した箱状の形態を成し、翳し部２を表出する態様で備えている。換言すると、翳し部２は、表出される態様で装置本体１に配設されている。
【００１９】
翳し部２は、利用者により翳されて所定の通信可能領域に保持されたマネーカードとの間でデータの送受信を行う部位であり、図２に示すように、基板１０、発光板２０及び支持部材３０を備えて構成してある。
【００２０】
基板１０は、装置本体１の内部に配設されており、表面（上面）の略中央領域に発光素子１１が実装している。本実施の形態における発光素子１１としては、３色ＬＥＤを適用している。３色ＬＥＤは周知のもので、上方に向けて赤色、緑色、青色の光を発光させて種々の色を呈することができるものである。尚、本実施の形態では、発光素子１１として３色ＬＥＤを適用したが、本発明はこれに限定されるものではなく、光源として用いることが可能な発光素子であれば、その種類については特に限定する必要がない。
【００２１】
上記基板１０の表面には、発光素子１１の他に、アンテナパターン１２が取り付けてある。アンテナパターン１２は、導電性の金属製線材、金属製板材、金属製箔材、あるいは金属製筒材等から適宜選択されて発光素子１１の周囲に形成されたものであり、利用者により翳されて所定の通信可能領域に保持されたマネーカードからデータを負荷変動により取得するものである。
【００２２】
また、基板１０には、フィルター部材１３が配設してある。より詳細には、フィルター部材１３は、基板１０の発光素子１１の実装個所の周囲に形成された貫通孔１０１に係合片１３１が挿通して該基板１０に係合することにより、光拡散部１３２が発光素子１１の上方域を覆う態様で配設してある。このフィルター部材１３は、例えばアクリル樹脂のような樹脂材から形成されたものであり、乳白色を呈している。ここで、フィルター部材１３の乳白色の程度は、発光素子１１から発光された光を拡散させるのに十分なものに予め調整してある。
【００２３】
発光板２０は、例えばアクリル樹脂のような樹脂材から形成されたもので、透明な円形状のものである。この発光板２０は、装置本体１の内部において基板１０よりも上方域に配設してあり、裏面（下面）の中央部位に第１プリズム部材（第１反射部材）２１が配設してある。第１プリズム部材２１は、円錐状の形態を成し、発光素子１１の直上において下方に向けて突出する態様で配設してある。この第１プリズム体は、発光素子１１からの光を当該第１プリズム体の配設個所の外周域に反射させるものである。つまり、第１プリズム部材２１の錐面２１１が反射面となって、発光素子１１より上方に向けて発光された光を主に平面方向に向けて反射させるものである。
【００２４】
この発光板２０は、外周部分が上方に向けて突出しており、発光領域２２が形成してある。この発光領域２２の表面が発光面２２１となる。そして、この発光領域２２の裏面２２２は、図３に示すように、凹凸形状に加工してある。尚、本実施の形態においては発光領域２２の裏面２２２を凹凸形状に加工した例を示しているが、本発明では、これに限定されず、発光領域２２の表面（発光面２２１）を凹凸形状に加工しても良いし、あるいは発光領域２２の表面（発光面２２１）及び裏面２２２を凹凸形状に加工しても良い。
【００２５】
また、発光板２０の表面（上面）における中央領域、すなわち発光面２２１に囲繞される領域には、第１反射シート２３が貼り付けてある。この第１反射シート２３は、反射面が下方に向けて形成されており、下方からの光を下方側に向けて反射させるものである。尚、図２及び図３中の符号２４は、ポッティングシートである。
【００２６】
支持部材３０は、発光板２０との間に第１プリズム部材２１の配設スペース、並びに該第１プリズム部材２１からの反射光の通過域を画成する態様で、該発光板２０と一体的に形成されたものである。この支持部材３０の中央部分、すなわち第１プリズム部材２１の直下部分には、孔部３１が形成してある。孔部３１は、発光素子１１からの光を通過させるものであり、フィルター部材１３の光拡散部１３２が進入可能な大きさに形成してある。
【００２７】
この支持部材３０の表面（上面）には、第２プリズム部材（第２反射部材）３２が上方に向けて突出する態様で配設してある。第２プリズム部材３２は、第１プリズム部材２１の外周域において、この第１プリズム部材２１を囲むよう円環状に配設してある。より詳細には、第２プリズム部材３２は、発光板２０の発光領域２２の下方側に配設してある。この第２プリズム部材３２は、内周面３２１を反射面として、第１プリズム部材２１からの反射光を発光板２０の発光領域２２を透過させる態様で反射させるものであり、第１プリズム部材２１からの反射光を発光板２０の裏面側から表面側に向けて円環状に透過させる態様で反射させるものである。つまり、第１プリズム部材２１により平面方向に向けて反射された光を主に上方に向けて反射させるものである。
【００２８】
また、支持部材３０の裏面２２２（下面）における孔部３１を除く領域には、第２反射シート３３が貼り付けてある。この第２反射シート３３は、反射面が上方に向けて形成されており、上方からの光を上方側に向けて反射させるものである。
【００２９】
このような構成を有する電子マネー決済機においては、発光素子１１から発光された光は、フィルター部材１３の光拡散部１３２を通過する際に拡散され、その後に第１プリズム部材２１に至る。第１プリズム部材２１に至った光は、第１プリズム部材２１の外周域に反射される。
【００３０】
このように第１プリズム部材２１によりその外周域に反射された光（反射光）は、第１プリズム部材２１の外周域において第１プリズム部材２１を囲むよう円環状に配設された第２プリズム部材３２に至る。第２プリズム部材３２に至った光は、上方に向けて反射され、発光板２０の発光領域２２を透過する。これにより、発光素子１１からの光は、発光領域２２を透過して発光面２２１より円環状に放出される。
【００３１】
以上説明したような本発明の実施の形態における電子マネー決済機によれば、第１プリズム部材２１が発光素子１１からの光を該第１プリズム部材２１の配設個所の外周域に反射させ、この第１プリズム部材２１の外周域に該第１プリズム部材２１を囲むよう円環状に配設された第２プリズム部材３２が、第１プリズム部材２１からの反射光を発光板２０の裏面側から表面側に向けて円環状に透過させる態様で反射させるので、発光素子１１からの光を遮ることなく、発光面２２１から円環状に放出することができる。よって、従来のように発光素子からの光を面発光させ、面発光部分の一部を遮って翳し部から光を放出するのに比して、発光素子１１からの光を効率よく翳し部２から放出させることができる。このように発光素子１１からの光を効率良く放出させることができるので、必要最小限の光源量で十分であり、光源量を過大なものとする必要がなく、装置の大型化やコストの増大化を招来する虞れがない。従って、発光素子１１からの光を効率よく翳し部２から放出させることができ、しかも装置の大型化を抑制してコストの低減化を図ることができる。
【００３２】
上記電子マネー決済機によれば、発光板２０の表面に貼り付けた第１反射シート２３が下方側からの光を下方に向けて反射させ、支持部材３０の裏面２２２に貼り付けた第２反射シート３３が上方側からの光を上方に向けて反射させるので、第１プリズム部材２１及び第２プリズム部材３２の所望の反射方向から漏れた光も有効に利用することができ、発光面２２１からの光の放出量を向上させることが可能になる。
【００３３】
また、上記電子マネー決済機によれば、発光領域２２の裏面２２２を凹凸形状に加工したので、発光領域２２を透過する第２プリズム部材３２からの反射光を乱反射させることができ、発光面２２１からの光を多方向に向けて一様に放出することができる。
【００３４】
更に、電子マネー決済機によれば、フィルター部材１３が発光素子１１からの光を拡散させるので、発光素子１１と第１プリズム部材２１との配置距離が短い場合であっても、光の色のばらつきを抑制して所望の色の光を発光面２２１から放出することができる。より詳細に説明すると、例えば発光面２２１から白色の光を放出する場合、予め決められた配分で発光素子１１から３色（赤色、緑色、青色）の光を発光させる必要があるが、発光素子１１と第１プリズム部材２１との距離が短いと発光素子１１からの光が良好に拡散せず、結果的に発光面２２１から放出される光の色にばらつきが生じてしまう。ところが、本実施の形態では、フィルター部材１３が発光素子１１からの光を拡散させるために、発光素子１１と第１プリズム部材２１の配置距離が短くても発光面２２１から所望の色の光を放出させることができる。そして、このように発光素子１１と第１プリズム部材２１との配置距離が短くすることができるので、翳し部２を小型化できることにより、装置全体の小型化（薄肉化）を図ることが可能である。
【００３５】
また更に、電子マネー決済機によれば、発光素子１１を実装する基板１０にマネーカードからデータを負荷変動により取得するアンテナパターン１２を備えたので、アンテナ専用の基板１０が不要になり、これにより部品点数の削減を図ることができるとともに、装置全体の小型化を図ることができる。
【産業上の利用可能性】
【００３６】
以上のように、本発明に係るリーダライタ装置は、所定の通信可能領域に保持されたＩＣカードや携帯電話機等の記録媒体との間でデータの読み取り及び書き込みを行うのに有用である。
【図面の簡単な説明】
【００３７】
【図１】本発明の実施の形態である電子マネー決済機（リーダライタ装置）を示す平面図である。
【図２】図１におけるＸ−Ｘ線断面図である。
【図３】図２におけるＡ部分を拡大して示した拡大断面図である。
【符号の説明】
【００３８】
１      装置本体
２      翳し部
１０      基板
１１      発光素子
１２      アンテナパターン
１３      フィルター部材
１３２      光拡散部
２０      発光板
２１      第１プリズム部材
２１１      錐面
２２      発光領域
２２１      発光面
２２２      裏面
２３      第１反射シート
２４      ポッティングシート
３０      支持部材
３２      第２プリズム部材
３２１      内周面
３３      第２反射シート
【図１】
0005077027.tif 000002
【図２】
0005077027.tif 000003
【図３】
0005077027.tif 000004